(57)【要約】【課題】高度なセキュリティが確保されるコンテンツを管理するシステムを提供する。【解決手段】表示媒体１００が有するＲＦ−ＩＤタグの識別情報を無線通信により読み取るＲＦ−ＩＤ読取部１０９と、コンテンツ情報と該コンテンツ情報に関連する管理情報とを前記ＲＦ−ＩＤの識別情報と関連付けて管理するデータ管理装置１０３と、個人認証装置１０５とを有し、前記コンテンツ情報に関連する管理情報は、該コンテンツ情報の使用者の利用制限情報を含み、個人認証装置１０５による認証結果に応じてデータ管理装置１０３を利用可能とする。【選択図】      図１
2004302616.tif 000002
【特許請求の範囲】
【請求項１】
表示媒体が有するＲＦ−ＩＤタグの識別情報を無線通信により読み取る機能と、コンテンツ情報と該コンテンツ情報に関連する管理情報とを前記ＲＦ−ＩＤの識別情報と関連付けて管理する管理機能と、個人認証機能とを有し、
前記コンテンツ情報に関連する管理情報は、該コンテンツ情報の使用者の利用制限情報を含み、
前記個人認証機能による認証結果に応じて前記管理機能を利用可能とすることを特徴とするシステム。
【発明の詳細な説明】
【０００１】
【発明の属する技術分野】
本発明は、コンテンツの管理技術に関する。
【従来の技術】
従来の印刷システムでは、例えば、ＰＣ（パーソナル・コンピュータ）等によって生成された印刷データをプリンタに送信することにより、所定のドキュメントを複数印刷することができるが、一度コンテンツが印刷された表示媒体である紙は、コンピュータ・ネットワークからは切り離され、誰が印刷し且つ所有しているか等の情報を管理することは不可能であった。
【０００２】
また、紙情報の電子化に関しては、特開２０００−２８５２０３号公報において、ＩＣチップ入りの紙を情報伝達方法に用いる技術が開示されている。これは、ＩＣチップに情報の電子データを蓄積し、紙上に情報を印刷することで、紙を電子記憶媒体として用いて、情報を配布・授受・保存する方法である。
【０００３】
また、特開平１１−７８１７６号公報には、不正な印刷物の発行を防止する印刷物発行管理システムに関する技術が開示されている。このシステムは、例えば、有価証券や著作物等の印刷物の発行管理に使われる。これは、識別情報を有する表示媒体において、正当な識別情報であると認識した場合にのみ要求されたコンテンツを印刷するというもので、正当な識別情報を持つ印刷物を管理することができる。この特開平１１−７８１７６号公報では、「識別情報」としては、例えば、文字や記号等の印字情報、磁気情報、バーコード等の光学的検出情報、透かし等が開示されている。
【０００４】
また、特開２００１−１３４６７２号公報に開示された印刷物の真贋判定を行なう印刷物発行管理システムにおいては、ＩＣチップを用いることにより高いセキュリティを実現している。このシステムの特徴は、印刷物検証装置がオフラインであり、予めＩＣチップの認証キーと暗号化キーとを用いて暗号化したデータを複合化できる複合化キーを記憶しておくことで、実現している。
【０００５】
【発明が解決しようとする課題】
従来の一般的な紙への印刷システムは、一度印刷された紙はネットワーク・システムから切り離されるので、印刷物の追跡管理は事実上不可能であった。
【０００６】
また、上述した特開２０００−２８５２０３号公報においては、ＩＣチップへコンテンツを格納する技術が開示されているが、以下の理由により、コンテンツのネットワーク管理が主流になると思われる。
▲１▼今後ＩＣチップの低価格化実現のためのＩＣチップサイズの縮小化に伴い、１チップ当たりのメモリ量が減少する可能性があり、蓄積できるコンテンツの内容が限定的となる。
▲２▼ネットワークの高速・大伝送容量化により、いつでも、どこからでもネットワーク管理されたコンテンツにアクセス可能となる。
▲３▼コンテンツ内容へのアクセス権限をリアルタイムにセキュリティ管理したい。また、印刷の許可を管理したい。
【０００７】
よって、コンテンツを内蔵したＩＣチップを有する紙の応用は限定される。
【０００８】
前記特開平１１−７８１７６号公報に開示されたシステムは、媒体情報管理装置と、コンテンツ管理装置と、利用管理装置と、プリンタとで構成されており、印刷物の発行に必要なコンテンツ、表示媒体（印刷記録媒体）及び印刷機構の３つの要素をそれぞれ独立に管理し、印刷物の発行を管理することで、不正な印刷物の発行を未然に防ぐことができ、有価証券、入場券、著作物、会員証、証明証等の重要な印刷物をリモート印刷することができる。一方、このシステムは、ホスト側からの印刷物の発行管理のためのシステムであるために、利用者がコンテンツを登録したり、コンテンツを変更したり、コンテンツの管理情報にアクセスすることは不可能である。
【０００９】
また、上述した特開２００１−１３４６７２号公報には、印刷物の真贋判定を行なう印刷物発行管理システムが開示されているが、上述した特開平１１−７８１７６号公報に開示されたシステムと同様に、印刷物の発行管理が目的であり、利用者がコンテンツの管理をすることは不可能である。
【００１０】
本発明は、上述したような従来技術の有する問題点を解消するためになされたもので、その目的は、高度なセキュリティの下でコンテンツを管理できるようにすることである。
【００１１】
【課題を解決するための手段】
上記目的を達成するために、本発明コンテンツを管理するシステムは、表示媒体が有するＲＦ−ＩＤタグの識別情報を無線通信により読み取る機能と、コンテンツ情報と該コンテンツ情報に関連する管理情報とを前記ＲＦ−ＩＤの識別情報と関連付けて管理する管理機能と、個人認証機能とを有し、前記コンテンツ情報に関連する管理情報は、該コンテンツ情報の使用者の利用制限情報を含み、前記個人認証機能による認証結果に応じて前記管理機能を利用可能とすることを特徴とする。
【００１２】
【発明の実施の形態】
以下、本発明の各実施の形態を図面に基づき説明する。
【００１３】
（第１の実施の形態）
まず、本発明の第１の実施の形態を図１及び図２に基づき説明する。
【００１４】
図１は、本発明の第１の実施の形態に係るＲＦ−ＩＤタグ付き表示媒体を用いたコンテンツを管理するシステムの構成を示すブロック図であり、同図において、１００はＲＦ−ＩＤタグ付き表示媒体、１０１はネットワーク、１０２は情報処理装置であるＲＦ−ＩＤリーダー内蔵印刷装置（以下、単に印刷装置と記述する）、１０３はデータ管理装置、１０４はＰＣ（パーソナル・コンピュータ）、１０５は個人認証装置、１０６はＩＣカードである。
【００１５】
ネットワーク１０１に、印刷装置１０２、データ管理装置１０３、ＰＣ１０４及び個人認証装置１０５が接続されている。
【００１６】
本実施の形態では、個人認証装置１０５が非接触型電子キーの場合について説明する。
【００１７】
印刷装置１０２は、ネットワーク・インターフェース（Ｉ／Ｆ）１０７、制御部１０８、ＲＦ−ＩＤ読取部１０９、印刷部１１０、メモリ部１１１及び操作部１１２を備えている。
【００１８】
ＲＦ−ＩＤタグ付き表示媒体１００と印刷装置１０２は、ＲＦ−ＩＤ読取部１０９とＲＦ−ＩＤタグとの間において無線でデータ通信を行なう。
【００１９】
ここで、ＲＦ−ＩＤタグ付き表示媒体１００とは、ＩＣチップに内蔵された識別情報（例えば、ＩＤ番号）を無線方式によりＲＦ−ＩＤ読取部１０９と通信可能なＲＦ−ＩＤタグが、表示媒体の表面、または裏面に取れないように接着等により固定されているか、または表示媒体の中に折り込まれていたり、２枚以上の表示媒体により挟まれるように形成されている表示媒体のことである。また、表示媒体とは、一般的な普通の紙、表面がコートされている紙、写真等の印画紙、感熱紙、ジアゾ感光紙、オーバー・ヘッド・プロジェクタ用ＰＥＴフィルムやポリエチレン、プラスチック等の樹脂膜等、印刷可能なシート状の表示媒体であれば何でも良い。
【００２０】
ネットワーク・インターフェース１０７は、通信回線を介してデータ通信を行なうためのものである。印刷装置１０２には、ＩＰアドレスが割り振られており、ネットワーク１０１上において識別されている。
【００２１】
制御部１０８は、ＲＦ−ＩＤの読み取り、印刷、データ通信、データ表示、データ保持等を制御し、高速な印刷装置１０２全体の機能制御を行なう。
【００２２】
ＲＦ−ＩＤ読取部１０９は、表示媒体１００に付いたＲＦ−ＩＤタグを無線方式で読み取るためのもので、制御やデータ処理を行なうプロセッサ部と、送信データの変調や受信データの符号化を行なうＲＦ部と、ＲＦ−ＩＤタグとＲＦ通信を行なうためのアンテナ部とから成る。
【００２３】
メモリ部１１１は、印刷時に、ＩＤ情報、該ＩＤ情報に関連するコンテンツ情報、該コンテンツ情報に関連する管理情報等を一時的に格納し、高速プリント及び高度なセキュリティを実現するために用いられる。
【００２４】
操作部１１２は、印刷指示部を行なうためのヒューマン・インタフェースであり、表示部と入力部とを有する。具体的に、表示部は、少なくともコンテンツに関連する情報を表示できるようなディスプレイであったり、入力可能なデジタイザが表面に形成されたタッチパネル付きのディスプレイであったり、また、単なるＬＥＤ（発光ダイオード）の点灯表示により処理状況を表す場合もある。入力部は、タッチパネルの他に、操作ボタン、音声入力等でも良い。また、ＲＦ−ＩＤ読取部１０９が表示媒体１００の供給を検出した場合には、その検出信号によって印刷指示を行なう構成でも良い。
【００２５】
ＲＦ−ＩＤリーダー内蔵印刷装置１０２は、上記機能の他に、光学的読取機能、データ保持部、データ管理部を有している場合もある。また、ＲＦ−ＩＤリーダー内蔵印刷装置１０２は、コンピュータと一体化していても良い。更に、コピー、プリンタ、スキャナ、ファックス、電話等々の複合機能を有する複合印刷装置であっても良い。
【００２６】
データ管理装置１０３は、ネットワーク・インターフェース（Ｉ／Ｆ）１１３、データ保持部１１４及びデータ管理部１１５を備えている。
【００２７】
ネットワーク・インターフェース１１３は、通信回線を介してデータ通信を行なうためのものである。データ管理装置１０３には、ＩＰアドレスが割り振られており、ネットワーク１０１上において識別されている。
【００２８】
データ保持部１１４は、使用を許可したＲＦ−ＩＤタグの識別情報のデータベースと、登録済の識別情報、該識別情報に関連するコンテンツ情報、該コンテンツ情報に関連する管理情報を有するデータベースを備えている。
【００２９】
使用を許可したＲＦ−ＩＤタグの識別情報のデータベースは、本発明のシステムに使用可能なＲＦ−ＩＤ付き表示媒体１００が市場に投入された時点に、ネットワーク１０１を介して随時、登録更新される。これにより、セキュリティの保証された表示媒体を用いることが可能となり、コンテンツの印刷物のセキュリティ管理が可能となる。
【００３０】
登録後の識別情報とは、ＲＦ−ＩＤタグ付き表示媒体１００上にコンテンツが印刷された際に登録されたＲＦ−ＩＤタグのＩＤ番号である。
【００３１】
該識別情報に関連するコンテンツ情報とは、表示媒体１００上に印刷された情報を意味し、場合によっては、表示媒体１００上に印刷されてはいないが、識別情報に関連付けられて蓄積されているコンテンツ情報を意味する場合もある。即ち、表示媒体１００上には、コンテンツの一部のみが印刷形成されており、そのコンテンツに関連する情報が蓄積されており、必要に応じてアクセスし、印刷することが可能である。また、コンテンツが変更された場合には、その変更前のコンテンツ情報及び変更後のコンテンツ情報が関連付けられて蓄積される場合もある。
【００３２】
コンテンツ情報に関連する管理情報とは、コンテンツ付加情報と、印刷付加情報と、関連する識別情報と、セキュリティ情報とから成る。コンテンツ付加情報は、コンテンツの作成者、使用したソフトウエア、作成日時、作成されたコンピュータ情報等である。印刷付加情報は、印刷日時、印刷された印刷機情報、印刷範囲、印刷オプション、プリンタ機種名、ドライバのバージョン、プリントプロパティ等である。関連する識別情報は、同一のコンテンツを印刷した表示媒体に付いたＲＦ−ＩＤタグのＩＤ番号、または、同一のコンテンツの修正されたコンテンツを印刷した表示媒体に付いたＲＦ−ＩＤタグのＩＤ番号等である。セキュリティ情報は、コンテンツへのアクセス許可情報、つまり閲覧、変更、印刷等の可否に関連する情報である。
【００３３】
データ管理部１１５は、データ保持部１１４に蓄積されたデータの新規登録、追加登録、修正登録等のデータ蓄積制御処理、ネットワーク１０１を介したデータ通信の制御、使用を許可したＲＦ−ＩＤタグの識別情報のデータベースの更新等を行なう。
【００３４】
個人認証の方式及び個人認証装置１０５は、以下の通りである。
▲１▼テンキー、ダイヤル等の入力装置から人が暗証番号を入力することにより解錠／施錠を行なう方式。入力装置としては、テンキー、タッチパネル、ダイヤル、キーボード等がある。
▲２▼暗証コードが埋め込まれたキーやカードを暗証コード読取部に挿入させて、暗証コードを読み取らせることにより解錠／施錠を行なう方式。入力装置としては、接触型電子キー、磁気カードや接触型ＩＣカード等の接触型カード等を利用者が有し、それらの読取装置が個人認証装置となる。
▲３▼非接触型電子キーを用いて暗証コードを送信することにより、解錠／施錠を遠隔制御する方式。入力装置としては、非接触型電子キー（電磁波、電波、赤外線、光、超音波等を利用）、携帯電話、ＰＨＳ、非接触カード（密着型／近傍型／近接型／遠隔型ＩＣカード）、バーコード等を利用者が有し、それらの読取装置が個人認証装置となる。
▲４▼人の身体的特徴（バイオメトリクス）を照合することにより解錠・施錠を行なう方式。各種身体的特徴としては、指紋、虹彩、網膜、掌形、掌紋、顔、音声、筆跡、その他（鼻、耳、歩調／足音、匂い、ＤＮＡ、脳波、心拍等）が利用可能である。利用者は、予め登録してある身体的特徴に対して照合することで利用でき、入力装置としては、それぞれの方式において通常用いられる方式の装置を適応できる。
▲５▼上記４方式の任意の組み合せにより認証する方式。
【００３５】
予め利用する可能性のある利用者全ての認証情報を登録しておき、各コンテンツ毎に利用者の制限、利用範囲の制限を行ない、該コンテンツの管理情報の一部として蓄積しておく。言うまでもなく、▲５▼の複数の認証方式を組み合わせる方式は、セキュリティレベルが高い。利用者の制限としては、特定の集団を設定する場合もあるが、この場合、利用者が該集団に所属しているということを予め設定しておけば良い。
【００３６】
印刷部１１０は、プリンタコントローラと、プリンタエンジンとを備えており、印字機構は、複写機、レーザービームプリンタ等に用いられている電子写真方式、バブルジェット（登録商標）方式やピエゾ方式等のインクジェット方式、また、感熱・熱転写方式、ワイヤドット方式等、全ての印刷方式が適応可能である。
【００３７】
図２は、本実施の形態に係るＲＦ−ＩＤタグ付き表示媒体１００を用いたコンテンツを管理するシステムにおける各装置の印刷プロセスのフローチャートである。
【００３８】
以下、図２について説明する。
【００３９】
まず、コンテンツ作成者及び利用者等は、該コンテンツにアクセス可能な利用者にアクセス権限を与えるための設定をしておく。例えば、アクセス権の段階としては、閲覧可能、複製可能、コンテンツ修正可能等である。
【００４０】
ＰＣ１０４がコンテンツの作成／表示を指示し（ステップＳ２００）、このＰＣ１０４からコンテンツの印刷命令が出た場合（ステップＳ２０１）、まず、始めに、印刷装置１０２は、印刷する表示媒体１００に付いたＲＦ−ＩＤタグの確認を行なう（ステップＳ２０２）。ＰＣ１０４からの指示が印刷装置１０２に送られ、ＲＦ−ＩＤ読取部１０９と表示媒体１００のＲＦ−ＩＤタグとの間で無線通信して識別情報を取得する（ステップＳ２０３）。この識別情報は、印刷装置１０２からデータ管理装置１０３へ送られ、このデータ管理装置１０３は、予め格納されている許可された識別情報と比較して、表示媒体が許可された識別情報を持つか否かを確認する（ステップＳ２０４）。そして、表示媒体が許可された識別情報を持つ場合、次のプロセス（ステップＳ２０６）へ向かい、許可されていない場合、またはＲＦ−ＩＤが応答しない場合、印刷装置１０２は印刷を行なわない（ステップＳ２０５）。
【００４１】
次に、印刷命令されたコンテンツがデータ管理装置１０３に登録されているか否かを確認する（ステップＳ２０６，２０７）。そして、登録が無い場合は、印刷命令のファイルは少なくともＰＣ１０４上にあるため、ＰＣ１０４は、印刷命令コンテンツにアクセスして（ステップＳ２０８）、それを印刷装置に送る（ステップＳ２０９）。また、コンテンツがデータ管理装置１０３に登録されている場合、印刷命令されているコンテンツと登録されているコンテンツとが同一か否かを確認する（ステップＳ２１０）。そして、印刷命令されているコンテンツと登録されているコンテンツとが同一でない場合、ＰＣ１０４は、印刷命令コンテンツをアクセスして（ステップＳ２０８）、ＰＣ１０４上のコンテンツを印刷装置へ送信する（ステップＳ２０９）。また、印刷命令されているコンテンツと登録されているコンテンツとが同一の場合、データ管理装置１０３は、その内部の登録コンテンツを印刷装置１０２へ送る（ステップＳ２１１）。
【００４２】
印刷装置１０２は、ＰＣ１０４からのコンテンツ或いはデータ管理装置１０３からのコンテンツを受信すると（ステップＳ２１２）、そのコンテンツは、表示媒体１００上へ印刷可能な状態になる。ここで、利用者が該コンテンツの印刷を許可されているか否かの認証処理を個人認証装置１０５により行なう（ステップＳ２１３）。この認証結果の情報はデータ管理装置１０３へ送られ、このデータ管理装置１０３は、印刷が許可されているか否かを確認する（ステップＳ２１４）。そして、印刷が許可されている場合は、印刷装置１０２による表示媒体１００へのコンテンツの印刷処理が進行し（ステップＳ２１５，２１６）、また、印刷が許可されていない場合は、印刷できないことを表示して、本処理動作を終了する。
【００４３】
本実施の形態において、個人認証読取処理は、個人認証装置１０５において、ＩＣカードを読み取ることで行なう。該ＩＣカードは、利用者の識別情報が記録されており、データ管理装置１０３において、コンテンツに対する利用者の利用制限条件と照会して、アクセス許可レベルを明らかにする。
【００４４】
印刷装置１０２における印刷終了を確認すると（ステップＳ２１７）、印刷した表示媒体（紙）の識別情報（ＩＤ番号）、コンテンツ情報及び利用者情報を含むコンテンツ管理情報をデータ管理装置１０３へ送信し、登録する（ステップＳ２１８）。この際、印刷命令されたコンテンツが未登録である場合は▲１▼で、印刷した表示媒体（紙）の識別情報、コンテンツ情報、コンテンツの管理情報について新規登録となるため、該管理情報に利用者情報を含んで登録する。また、印刷命令されたコンテンツが、既に登録されているが変更が加わっている場合は▲２▼で、印刷した表示媒体（紙）の識別情報、コンテンツ情報、コンテンツの管理情報について新規登録に加えて、既に登録されているＩＤ情報に係るコンテンツ管理情報に、新しく出力した表示媒体の識別情報及び利用者情報を追記しておく。また、印刷命令されたコンテンツが既に登録されており、その複製を作成した場合は▲３▼で、新規登録は行なわず、コンテンツ管理情報に該利用者が複製を作成したことに関連する情報を少なくとも追記する。
【００４５】
本実施の形態では、ＰＣ１０４からコンテンツの印刷命令が出た場合、第１に印刷する表示媒体１００に付いたＲＦ−ＩＤタグの確認を行ない、印刷許可を確認した後で、次に印刷命令されたコンテンツがデータ管理装置１０３に登録されているか否かを確認し、その後に利用者の認証処理を行なった。しかし、この３つの確認プロセスは、同時でも、または逆でも良い。
【００４６】
また、本実施の形態では、利用者の認証操作は、ネットワーク１０１に接続された個人認証装置１０５において行なったが、ＰＣ１０４から操作する場合、個人認証装置１０５がＰＣ１０４と接続されているか、または一体化しており、ＰＣ１０４から操作しても良い。また、ＰＣ１０４の画面において、ユーザーＩＤ、暗証番号等を入力する等の方式により、認証を行なうことも可能である。
【００４７】
本実施の形態において、印刷されたＲＦ−ＩＤタグ付き表示媒体１００の情報は、ネットワーク１０１上のデータ管理装置１０３において蓄積され、合わせて利用者情報が管理情報の一部として蓄積された。
【００４８】
本実施の形態では、ＲＦ−ＩＤタグが形成された表示媒体である用紙を用いて、企業内において重要な会議で配布する説明用の機密資料を印刷した。これにより、機密情報の紙出力を、誰がいつ、どこの印刷装置から出力したかも管理することが可能となり、高度なセキュリティを実現できる。
【００４９】
本実施の形態に係るＲＦ−ＩＤタグ付き表示媒体を用いたコンテンツを管理するシステムは、個人の印刷書類の管理、複数人への機密性の高い重要な書類等印刷物を配布する際の書類の管理等に適応し、特に、会社内での機密文章の管理等に適している。
【００５０】
また、本発明のＲＦ−ＩＤタグ付き表示媒体を用いたコンテンツを管理するシステムは、不正な印刷、複製、改ざん等を防止するような目的にも有効であり、有価証券、公的文書、契約書、申請書、証明書、カルテ、領収書、入場券、著作物（小説、絵画、ポスター、絵葉書）、会員証、電子政府用書類出力、写真等々に適している。
【００５１】
本実施の形態に係るコンテンツを管理するシステムによれば、表示媒体上に印刷されたコンテンツ情報と該コンテンツ情報の印刷履歴、利用者の利用状況、印刷物の存在状態等を管理することができ、恰も印刷されたコンテンツもネットワーク接続されているかのように高度なセキュリティにおいて共有できる。また、利用者にとってセキュリティに注意を要するコンテンツの印刷物を容易に作成でき、複数人と共有することができる。さらに、印刷物の複製を作成する際には、画質劣化することなく、オリジナルと同様の印刷物を作成できる。また、コンテンツを管理する立場にとっては、コンテンツに関連する印刷情報を見ることによって、関連する印刷物全ての管理が可能である。
【００５２】
（第２の実施の形態）
次に、本発明の第２の実施の形態を、図３及び図４に基づき説明する。
【００５３】
図３は、本発明の第２の実施の形態に係るＲＦ−ＩＤタグ付き表示媒体を用いたコンテンツを管理するシステムの構成を示すブロック図であり、同図において、上述した第１の実施の形態における図１と同一部分には、同一符号が付してある。
【００５４】
本実施の形態において上述した第１の実施の形態と異なる点は、ＲＦ−ＩＤリーダー内蔵印刷装置の構成である。即ち、本実施の形態における情報処理装置であるＲＦ−ＩＤリーダー内蔵印刷装置１０２ａは、ネットワーク・インターフェース（Ｉ／Ｆ）１０７、制御部１０８、二つのＲＦ−ＩＤ読取部１０９ａ，１０９ｂ、印刷部１１０、メモリ部１１１、操作部１１２及び個人認証部３０１を備えている。ＲＦ−ＩＤ読取部が二つあるのは、一方のＲＦ−ＩＤ読取部１０９ａで登録済のＲＦ−ＩＤタグ付き表示媒体１００ａの識別情報を読み取り、他方のＲＦ−ＩＤ読取部１０９ｂでコンテンツの印刷のためのＲＦ−ＩＤタグ付き表示媒体１００ｂの識別情報の読み取りを行なう。また、個人認証部３０１が印刷装置１０２ａに内蔵されて一体化されていることで、使用者は、印刷装置１０２ａへの操作のみで、本システムを利用することができる。
【００５５】
ＲＦ−ＩＤタグ付き表示媒体１００ａ，１００ｂと印刷装置１０２ａは、ＲＦ−ＩＤ読取部１０９ａ，１０９ｂとＲＦ−ＩＤタグとの間において無線でデータ通信を行なう。
【００５６】
個人認証部３０１は、使用者のユーザーＩＤ（識別子）と暗証番号の入力で認証する。
【００５７】
図４は、本発明の第２の実施の形態に係るＲＦ−ＩＤタグ付き表示媒体を用いたコンテンツを管理するシステムにおける印刷プロセスのフローチャートである。
【００５８】
以下、図４について説明する。
【００５９】
まず、始めに、既に登録されているＲＦ−ＩＤ１タグ付き表示媒体１００ａ上に表示されているコンテンツの複製命令が印刷装置１０２ａから出される（ステップＳ４００）。すると、まず、複製印刷する表示媒体１００ｂに付いたＲＦ−ＩＤ２タグとＲＦ−ＩＤ２読取部１０９ｂとの間で通信してＩＤ２を取得する（ステップＳ４０１，４０２）。データ管理装置１０３において、このＲＦ−ＩＤ２が許可されているか否かを確認する（ステップＳ４０３）。そして、ＩＤ２が許可されていない場合、またはＲＦ−ＩＤ２が正しく認識されない場合、印刷装置１０２ａは印刷を実行しない（ステップＳ４０４）。
【００６０】
また、ＩＤ２が許可されている場合、またはＲＦ−ＩＤ２が正しく認識された場合、既に登録されている表示媒体１００ｂのＲＦ−ＩＤ１とＲＦ−ＩＤ１読取部１０９ａとの間で通信して、ＩＤ１を取得し（ステップＳ４０５，４０６）、データ管理装置１０３は、その内部にＩＤ１に関するコンテンツが登録されているか否かを確認する（ステップＳ４０７，４０８）。そして、ＩＤ１に関するコンテンツが登録されていない場合は、印刷装置１０２ａは印刷不可能である（ステップＳ４０９）。
【００６１】
また、ＩＤ１に関するコンテンツが登録されている場合、印刷装置１０２ａは登録コンテンツを印刷可能であるが、ここで、データ管理装置１０３は、登録コンテンツを印刷装置１０２ａに送信する（ステップＳ４１０）。データ管理装置１０３からの登録コンテンツを受信した（ステップＳ４１１）印刷装置１０２ａは、この利用者の利用制限情報を確認する（ステップＳ４１２）。このため、個人認証部３０１において利用者はユーザーＩＤと暗証番号とを入力し、データ管理装置１０３は、利用者のコンテンツに関連する利用制限情報を確認する（ステップＳ４１３）。そして、利用者が印刷可能なように登録されている場合は、印刷装置１０２ａにおいて表示媒体１００ｂに対するコンテンツの印刷処理を行なう（ステップＳ４１４，４１５）。また、利用者が印刷可能なように登録されていない場合は、その旨を表示して、本処理動作を終了する（ステップＳ４１３）。
【００６２】
また、印刷装置１０２ａにおいて表示媒体１００ｂに対するコンテンツの印刷が終了した場合（ステップＳ４１６）、データ管理装置１０３は、ＩＤ１に関しては、ＩＤ２に新規に利用者によって印刷されたことを追記し、ＩＤ２に関しては、コンテンツ情報及び利用者情報を含むコンテンツに関連する管理情報を新規に登録し（ステップＳ４１７）、その後、本処理動作を終了する（ステップＳ４１８）。
【００６３】
本実施の形態によれば、印刷されている表示媒体１００ａを印刷装置１０２ａに載置すれば、表示媒体１００ｂにその複製を画質劣化することなく形成することができ、しかも、誰により印刷されたかという事実も管理できるために、利用者にとってアクセスが容易で且つ高度にセキュリティが管理されたシステムを実現できる。
【００６４】
（第３の実施の形態）
次に、本発明の第３の実施の形態を、図５及び図６に基づき説明する。
【００６５】
図５は、本発明の第３の実施の形態に係るＲＦ−ＩＤタグ付き表示媒体を用いたコンテンツを管理するシステムの構成を示すブロック図であり、同図において、上述した第１の実施の形態における図１と同一部分には同一符号が付してある。
【００６６】
図５において、図１と異なる点は、印刷装置１０２に代えて情報処理装置であるＲＦ−ＩＤリーダー内蔵光学式画像読取装置を設けたことである。
【００６７】
即ち、本実施の形態においては、ネットワーク１０１にＲＦ−ＩＤリーダー内蔵光学式画像読取装置（以下、単に画像読取装置と記述する）５００及びデータ管理装置１０３が接続されている。
【００６８】
画像読取装置５００は、ネットワーク・インターフェース（Ｉ／Ｆ）５０１、制御部５０２、ＲＦ−ＩＤ読取部５０３、画像読取部５０４、メモリ部５０５、操作部５０６及び個人認証部５０７を備えている。また、データ管理装置１０３は、ネットワーク・インターフェース（Ｉ／Ｆ）１１３、データ保持部１１４及びデータ管理部１１５を備えている。
【００６９】
画像読取部５０４は、光学式読み取りの場合、光源、結像系、イメージセンサ、Ａ／Ｄ変換器、制御ＬＳＩ、ＤＲＡＭを備える。１画素毎に時系列的に取り込むドラムスキャナ、原稿を透明なガラス板の上に下向きに置くフラットベッドスキャナ、写真機により撮影されたフィルム用のフィルムスキャナ等が適応可能である。
【００７０】
ＲＦ−ＩＤタグ付き表示媒体１００と画像読取装置５００は、ＲＦ−ＩＤ読取部５０３とＲＦ−ＩＤタグとの間において無線でデータ通信を行ない、画像読取部５０４において、ＲＦ−ＩＤタグ付き表示媒体１００上のコンテンツを光学的に読み取る。個人認証部５０７は、使用者の保有するＲＦ−ＩＤタグにより使用者のＩＤを認証する方式である。
【００７１】
図６は、本発明の第３の実施の形態に係るＲＦ−ＩＤタグ付き表示媒体を用いたコンテンツを管理するシステムにおけるお各装置のにおける印刷プロセスのフローチャートである。
【００７２】
以下、図６について説明する。
【００７３】
まず、画像読取装置５００からコンテンツの画像読取命令を出した場合（ステップＳ６００）、第１に画像を読み取る表示媒体１００に付いたＲＦ−ＩＤタグの確認を行なう（ステップＳ６０１）。画像読取装置５００は、表示媒体１００のＲＦ−ＩＤタグと無線通信して識別情報を取得する（ステップＳ６０２）。また、同時に、又はその前後に、画像読取装置５００は、表示媒体１００上に描画されたコンテンツを光学的に読み取る（ステップＳ６０３，６０４）。
【００７４】
読み取られた識別情報は、画像読取装置５００からデータ管理装置１０３へ送られ、予め格納されている許可された識別情報と比較し、表示媒体が許可された識別情報を持っているか否かを確認する（ステップＳ６０５）。表示媒体が許可された識別情報を持つ場合、次のプロセス（ステップＳ６０６）へ向かい、許可されていない場合、またはＲＦ−ＩＤが応答しない場合、データ管理装置１０３は、該データ管理装置１０３への登録を行なわず（ステップＳ６１１の▲１▼）、画像読取装置５００は、処理終了確認情報を表示し（ステップＳ６１２）、その後、本処理動作を終了する（ステップＳ６１３）。
【００７５】
また、読み取られた識別情報が許可されている場合、データ管理装置１０３は、識別情報がデータ管理装置１０３に登録されているか否かを確認する（ステップＳ６０６）。そして、識別情報がデータ管理装置１０３に登録されていない場合は、画像読取命令されたコンテンツはデータ管理装置に登録されていないため、新規に登録する（ステップＳ６１１の▲２▼）。この際のデータ群は、識別情報であるＩＤ番号、読取コンテンツ、該コンテンツ情報に関連する管理情報である。
【００７６】
また、コンテンツがデータ管理装置に登録されている場合、データ管理装置１０３は、登録コンテンツへアクセスし（ステップＳ６０７）、画像読取装置５００は、個人認証部５０７により使用者の個人認証を行ない（ステップＳ６０８）、データ管理装置１０３は、使用者の利用範囲を確認する（ステップＳ６０９）。
【００７７】
そして、登録許可を有している場合は、データ管理装置１０３は、画像読み取りしたコンテンツと登録されているコンテンツとが同一か否かを確認する（ステップＳ６１０）。そして、画像読み取りしたコンテンツと登録されているコンテンツとが同一でない場合は、読み取ったコンテンツをデータ群の一部として追加登録し（ステップＳ６１１の▲３▼）、また、画像読み取りしたコンテンツと登録されているコンテンツとが同一の場合、データ管理装置１０３内の登録コンテンツへの変更等は行なわない（ステップＳ６１１の▲４▼）。その後、画像読取装置５００は、処理終了情報を表示し（ステップＳ６１２）、その後、本処理動作を終了する。
【００７８】
本実施の形態では、コンテンツの画像読取命令が出た場合に、先に印刷する表示媒体１００に付いたＲＦ−ＩＤタグの確認を行ない、許可を確認した後、データベースへの登録確認を行ない、次に利用者の個人認証を行ない、画像読取命令されたコンテンツがデータ管理装置１０３に登録されているか否かを確認した。しかし、これらの確認プロセスは、同時でも、または逆でも良い。
【００７９】
本実施の形態に係るコンテンツ共有システムにより、印刷されたＲＦ−ＩＤタグ付き表示媒体１００の情報がネットワーク１０１上のデータ管理装置１０３において蓄積された。
【００８０】
本実施の形態では、以下の場合が実現できた。
▲１▼ＲＦ−ＩＤタグが形成されていない表示媒体（紙）上に描画されているコンテンツを、ＲＦ−ＩＤタグを表示媒体の裏面に付けることで、ネットワーク１０１上のコンテンツ共有システムに登録できた。
▲２▼ＲＦ−ＩＤタグが裏面に付いている表示媒体（紙）の上に手書きで入力したコンテンツを、コンテンツ共有システムに登録できた。
▲３▼ＲＦ−ＩＤタグが裏面に付いている表示媒体（紙）の上に印刷されているコンテンツに手書きで追記した情報を、コンテンツ共有システムに登録できた。
【００８１】
このように、ネットワーク１０１上に管理されていない表示媒体（紙）上に描画されたコンテンツを登録された利用者がネットワーク１０１上に取り込むことが可能となり、表示媒体（紙）情報も管理することが可能となった。
【００８２】
本実施の形態における画像読取装置５００は、個人認証機能、印刷機能、画像読取機能、表示媒体の廃棄機能のいずれか一つの機能、または複数の機能を有していても良い。
【００８３】
また、これらの組み合せによって、複合的な効果を最適なフローにおいて実現することができる。
【００８４】
（第４の実施の形態）
次に、本発明の第４の実施の形態を、図７及び図８に基づき説明する。
【００８５】
図７は、本発明の第４の実施の形態に係るＲＦ−ＩＤタグ付き表示媒体を用いたコンテンツを管理するシステムの構成を示すブロック図であり、同図において、図５と同一部分には同一符号が付してある。
【００８６】
図７において、図５と異なる点は、画像読取装置５００に代えて情報処理装置であるＲＦ−ＩＤリーダー内蔵表示媒体廃棄装置７００を設けたことである。
【００８７】
即ち、本実施の形態においては、ネットワーク１０１にＲＦ−ＩＤリーダー内蔵表示媒体廃棄装置（以下、単に表示媒体廃棄装置と記述する）７００及びデータ管理装置１０３が接続されている。
【００８８】
表示媒体廃棄装置７００は、ネットワーク・インターフェース（Ｉ／Ｆ）７０１、制御部７０２、ＲＦ−ＩＤ読取部７０３、廃棄部７０４、メモリ部７０５、操作部７０６及び個人認証部７０７を備えている。また、データ管理装置１０３は、ネットワーク・インターフェース（Ｉ／Ｆ）１１３、データ保持部１１４及びデータ管理部１１５を備えている。
【００８９】
ＲＦ−ＩＤタグ付き表示媒体１００と表示媒体廃棄装置７００は、ＲＦ−ＩＤ読取部７０３とＲＦ−ＩＤタグとの間において無線でデータ通信を行なう。個人認証部７０７は、ユーザーＩＤと暗証番号とを入力することで個人認証を行なう。
【００９０】
図８は、本発明の第４の実施の形態に係るＲＦ−ＩＤタグ付き表示媒体を用いたコンテンツ共有システムにおける各装置の表示媒体廃棄プロセスのフローチャートを示す。
【００９１】
以下、図８について説明する。
【００９２】
まず、ＲＦ−ＩＤタグ付き表示媒体１００を表示媒体廃棄装置７００の所定の場所に置き、操作部７０６より廃棄命令を出して廃棄作業を開始する（ステップＳ８００）。次に、表示媒体廃棄装置７００は、ＲＦ−ＩＤタグ付き表示媒体１００のＲＦ−ＩＤタグを読み取り（ステップＳ８０１）、データ管理装置１０３において、その識別情報が本システムに登録されているものか否かを確認する（ステップＳ８０２）。そして、識別情報がデータ管理装置１０３に登録されていない場合には、表示媒体廃棄装置７００の表示部に表示媒体が登録されていないことを表示し、表示媒体の廃棄を実行するか否かの確認を表示し、利用者は廃棄を実行するか、または廃棄を中断するか選択して（ステップＳ８０３）、その選択に応じた処理を行なう。
【００９３】
また、識別情報がデータ管理装置１０３に登録されている場合には、表示媒体廃棄装置７００は、個人認証部７０７による個人認証により、利用者の識別情報を確認し（ステップＳ８０４）、表示媒体の廃棄許可の有無をデータ管理装置１０３において確認し（ステップＳ８０５）、廃棄許可がない場合は、表示媒体の廃棄処理を中断した後、本処理動作を終了し、また、廃棄許可がある場合のみ次（ステップＳ８０６）へ進む。
【００９４】
次に、表示媒体廃棄装置７００の表示部に識別情報に関連するコンテンツの管理情報の一部等を表示して（ステップＳ８０６）、表示媒体の廃棄を実行するかどうかの確認を表示し、利用者は廃棄を実行するか、または廃棄を中断するか選択し（ステップＳ８０７）、その選択に応じた処理を行なう。
【００９５】
このようにしてＲＦ−ＩＤタグ付き表示媒体１００が廃棄される場合（ステップＳ８１０，８０９）、本実施の形態における表示媒体廃棄装置７００では、データ管理装置１０３に蓄積されている識別情報に関連するデータ群（ＩＤ番号とそれに関連するコンテンツ情報と、コンテンツ管理情報とから成る）の消去も可能である。このため、表示媒体廃棄装置７００は、廃棄した表示媒体上のコンテンツに関連するデータをデータ管理装置１０３に残しておくか否かの問い合わせを表示し（ステップＳ８１１）、利用者は、その利用権限の範囲において選択できる。そして、データを残しておく場合には、識別情報に関連する管理情報に廃棄事実と廃棄の日時、装置名、その他の諸条件を追記登録しておく（ステップＳ８１３）。また、データを消去する場合には、識別情報に関連するコンテンツ情報と管理情報等をデータ管理装置１０３から削除する（ステップＳ８１２）。また、データの消去の有無に拘らず、識別情報に関連づけられている他の識別情報のコンテンツ管理情報に、表示媒体が利用者によって廃棄されたことを追記しておく（ステップＳ８１２）。
【００９６】
以上の工程により、本実施の形態に係るＲＦ−ＩＤタグ付き表示媒体を利用した共有システムにおける廃棄プロセスは終了する。
【００９７】
本実施の形態では、表示媒体を廃棄した後で、データをデータ管理装置１０３に残しておくか否かの確認を行なってデータ管理装置１０３において処理しているが、表示媒体を廃棄プロセスとデータのデータ管理装置１０３からの消去については、同時でも、または逆でも良い。
【００９８】
また、個人認証処理の順番については、表示媒体のＲＦ−ＩＤの読み取りの前後のどちらでも良い。
【００９９】
本実施の形態に係る表示媒体廃棄装置７００を用いることで、表示媒体（紙）情報とデジタル情報の両方について、利用者の設定権限下において、消去・管理することが可能となった。
【０１００】
また、表示媒体廃棄装置７００の廃棄部７０４は、読み取り不可能なように裁断、または溶解等、該表示媒体上のコンテンツの内容認識ができないように廃棄する全ての方式が適応可能である。また、ＲＦ−ＩＤタグを分離した後に、表示媒体を廃棄する機能を有する場合もある。
【０１０１】
（第５の実施の形態）
次に、本発明の第５の実施の形態を説明する。
【０１０２】
本実施の形態における情報処理装置であるＲＦ−ＩＤリーダー内蔵印刷装置及びＲＦ−ＩＤリーダー内蔵画像読取装置は、該表示媒体上に付いているＲＦ−ＩＤタグへ電磁波により識別情報を書き込む機能を有している。これにより、ＩＣチップに書き込む書き込み機能部、または書き換え機能部を有するＲＦ−ＩＤタグ付き表示媒体も活用することができ、より高度なセキュリティに守られたコンテンツ共有システムを実現できるようになった。
【０１０３】
例えば、識別情報が一部、または全て書き込まれていないＩＣチップのＲＦ−ＩＤタグが付いた表示媒体上に、コンテンツを印刷して本システムのデータ管理装置に登録する場合、識別情報を暗号化することが可能となる。即ち、ネットワーク上においてのコンテンツの指標である識別情報を保護できる。または、識別情報が一部、または全て書き込まれていない場合、その領域を認証用に用いたりすることが可能である。
【０１０４】
これにより、アクセスできる個人を特定することが可能となる。
【０１０５】
また、識別情報を利用者が設定できることにより、本発明のシステムの利便性も向上した。
【０１０６】
尚、ＲＦ−ＩＤタグへの書き込み機能部は、読み取る機能部と同一でも、一体でも、または別に構成されていても良いが、同一であることが望ましい。
【０１０７】
（第６の実施の形態）
次に、本発明の第６の実施の形態を図９に基づき説明する。
【０１０８】
図９は、本発明の第６の実施の形態に係るＲＦ−ＩＤタグ付き表示媒体を用いたコンテンツを管理するシステムの構成を示すブロック図であり、同図において、上述した第２実施の形態における図３及び第４の実施の形態における図５と同一部分には、同一符号が付してある。
【０１０９】
本実施の形態は、ネットワーク１０１上に、情報処理装置であるＲＦ−ＩＤリーダー内蔵印刷装置１０２ａ、ＲＦ−ＩＤリーダー内蔵画像読取装置５００及びデータ管理装置１０３ａ，１０３ｂが接続されており、各々異なるＩＰアドレスにおいて接続されている。
【０１１０】
本実施の形態におけるコンテンツは、識別情報と、コンテンツ情報と、該コンテンツ情報に関連する管理情報とから成るデータ群として、データ管理装置１０３上に蓄積されている。
【０１１１】
本実施の形態では、このデータ群をデータ保持部１１４に蓄積する際に、どのＩＰアドレス上に蓄積されているかという情報を付加することと、データ管理装置１０３ａ，１０３ｂが時々、識別情報であるＩＤ番号とＩＰアドレスとから成るデータテーブルを共有し、更新することで実現できる。
【０１１２】
これは、インターネット１０１におけるＤＮＳサーバが実施していることに近似している。この機能は、データ管理装置１０３ａ，１０３ｂが担ってもいるが、ネットワーク１０１の規模に応じて、別途管理装置を設定しても良い。
【０１１３】
本実施の形態において、識別情報と、コンテンツ情報と、該コンテンツ情報に関連する管理情報とから成るデータ群は、通常、組織形態、設置場所、その他の要因から、全体として最適化されたデータ管理装置１０３ａ，１０３ｂの順位に基づいてデータ蓄積される。
【０１１４】
本実施の形態により、インターネット１０１に接続されたあらゆる場所に接続されたＲＦ−ＩＤリーダー内蔵印刷装置１０２ａを用いることで、該コンテンツ共有システムを活用することが可能となった。
【０１１５】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【０１１６】
本発明の実施態様の例を以下に列挙する。
【０１１７】
［実施態様１］  表示媒体が有するＲＦ−ＩＤタグの識別情報を無線通信により読み取る機能と、コンテンツ情報と該コンテンツ情報に関連する管理情報とを前記ＲＦ−ＩＤの識別情報と関連付けて管理する管理機能と、個人認証機能とを有し、
前記コンテンツ情報に関連する管理情報は、該コンテンツ情報の使用者の利用制限情報を含み、
前記個人認証機能による認証結果に応じて前記管理機能を利用可能とすることを特徴とするシステム。
【０１１８】
この実施態様１によれば、表示媒体にＲＦＩＤタグを付け、表示媒体上に印刷するコンテンツにＩＤを対応させて、該コンテンツ情報と該コンテンツ情報に関連する管理情報をネットワーク接続されたデータ管理装置において管理し、該コンテンツ毎に利用者の権限を設定することで、ネットワーク上に接続された個人認証装置から、前記表示媒体を介して前記コンテンツ情報を利用することが可能となり、その結果、コンテンツの共有化がセキュリティに優れた管理下において可能となった。
【０１１９】
［実施態様２］  前記個人認証装置は、前記情報処理装置と一体であることを特徴とする実施態様１に記載のシステム。
【０１２０】
この実施態様２によれば、個人認証装置は、情報処理装置と一体化されることで、該情報処理装置への操作のみで個人認証され、簡易に高度なセキュリティにおいて本システムを利用できる。
【０１２１】
［実施態様３］  前記情報処理装置は、前記表示媒体上へコンテンツ情報を印刷する印刷手段を有し、該印刷手段により、許可されている使用者のみが前記コンテンツ情報を前記表示媒体上に印刷できることを特徴とする実施態様１または２に記載のシステム。
【０１２２】
［実施態様４］  前記情報処理装置は、前記表示媒体上に描画されているコンテンツ情報を読み取るコンテンツ情報読取手段を有し、該コンテンツ情報読取手段により、許可されている使用者のみが前記コンテンツ情報を読み取ることができることを特徴とする実施態様１乃至４のいずれかに記載のシステム。
【０１２３】
［実施態様５］  前記情報処理装置は、前記表示媒体及び前記コンテンツ情報を廃棄する廃棄手段を有し、該廃棄手段により、許可されている使用者のみが前記表示媒体及び前記コンテンツ情報を廃棄できることを特徴とする実施態様１乃至４のいずれかに記載のシステム。
【０１２４】
［実施態様６］  前記情報処理装置は、前記表示媒体上に付いているＲＦ−ＩＤタグへ電磁波により識別情報を書き込む識別情報書き込み手段を有することを特徴とする実施態様１乃至５のいずれかに記載のシステム。
【０１２５】
この実施態様によれば、ＩＣチップに書き込む機能、または書き換える機能を有するＲＦ−ＩＤタグ付き表示媒体も活用することができ、より高度なセキュリティに守られたコンテンツ共有システムを実現できる。即ち、識別情報に加えて、書き込むメモリ領域を暗号用に用いたり、認証用に用いたりすることが可能である。
【０１２６】
［実施態様７］  ＲＦ−ＩＤタグを有する表示媒体上の前記ＲＦ−ＩＤタグを無線通信により読み取る機能を有する情報処理装置と、前記表示媒体上のコンテンツ情報と該コンテンツ情報に関連する管理情報とを前記ＲＦ−ＩＤのＩＤ情報と関連付けて蓄積するデータ管理装置と、個人認証装置とを、通信可能なようにネットワークに接続して成るコンテンツを管理するシステムに使用する前記情報処理装置であって、
前記表示媒体上へコンテンツ情報を印刷する印刷手段を有し、該印刷手段により、許可されている使用者のみが前記コンテンツ情報を前記表示媒体上に印刷できることを特徴とする情報処理装置。
【０１２７】
この実施態様によれば、コンテンツの共有化をセキュリティに優れた管理下において可能とすることができる。
【０１２８】
［実施態様８］  前記個人認証装置を一体に設けたことを特徴とする実施態様７に記載の情報処理装置。
【０１２９】
［実施態様９］  前記表示媒体上へコンテンツ情報を印刷する印刷手段を有し、該印刷手段により、許可されている使用者のみが前記コンテンツ情報を前記表示媒体上に印刷できることを特徴とする実施態様７または８に記載の情報処理装置。
【０１３０】
［実施態様１０］  前記表示媒体上に描画されているコンテンツ情報を読み取るコンテンツ情報読取手段を有し、該コンテンツ情報読取手段により、許可されている使用者のみが前記コンテンツ情報を読み取ることができることを特徴とする実施態様７乃至９のいずれかに記載の情報処理装置。
【０１３１】
［実施態様１１］  前記表示媒体及び前記コンテンツ情報を廃棄する廃棄手段を有し、該廃棄手段により、許可されている使用者のみが前記表示媒体及び前記コンテンツ情報を廃棄できることを特徴とする実施態様７乃至１０のいずれかに記載の情報処理装置。
【０１３２】
［実施態様１２］  前記表示媒体上に付いているＲＦ−ＩＤタグへ電磁波によりＩＤ情報を書き込むＩＤ情報書き込み手段を有することを特徴とする実施態様７乃至１１のいずれかに記載の情報処理装置。
【０１３３】
［実施態様１３］    表示媒体が有するＲＦ−ＩＤタグの識別情報を無線通信により読み取る機能と、コンテンツ情報と該コンテンツ情報に関連する管理情報とを前記ＲＦ−ＩＤの識別情報と関連付けて管理する管理機能と、個人認証機能とを有し、
前記コンテンツ情報に関連する管理情報は、該コンテンツ情報の使用者の利用制限情報を含み、
前記個人認証機能による認証結果に応じて前記管理機能を利用可能とすることを特徴とするシステム。
【０１３４】
この実施態様１３によれば、高度なセキュリティの下でコンテンツを管理できる。
【０１３５】
［実施態様１４］    前記個人認証機能による認証結果に応じて、前記管理機能により管理されるコンテンツ情報の印刷を許可することを特徴とする実施態様１３に記載のシステム。
【０１３６】
この実施態様１４によれば、ＲＦ−ＩＤタグの識別情報に関連して管理されているコンテンツの印刷を高度なセキュリティの下で管理できる。
【０１３７】
［実施態様１５］    コンテンツ情報を印刷する表示媒体が有するＲＦ−ＩＤタグの識別情報に応じて、前記認証処理を実行することを特徴とする実施態様１４に記載のシステム。
【０１３８】
この実施態様１５によれば、個人認証だけでなく、表示媒体のＲＦ−ＩＤタグの識別情報も利用してセキュリティを高めることができる。
【０１３９】
［実施態様１６］    前記個人認証機能による認証結果に応じて、コンテンツ情報が描画されている表示媒体が有するＲＦ−ＩＤタグの識別情報に対応して登録されているコンテンツ情報を印刷することを特徴とする実施態様１３に記載のシステム。
【０１４０】
この実施態様１６によれば、高度なセキュリティの下で画像の劣化を抑えた印刷を行える。
【０１４１】
［実施態様１７］    前記個人認証機能による認証結果に応じて、前記管理機能は、読み取ったコンテンツ情報を表示媒体が有するＲＦ−ＩＤタグの識別情報に対応させて登録することを特徴とする実施態様１３に記載のシステム。
【０１４２】
この実施態様１７によれば、ＲＦ−ＩＤタグの識別情報に対応させたコンテンツの登録を高度なセキュリティの下で行える。
【０１４３】
［実施態様１８］    前記個人認証機能による認証結果に応じて、コンテンツ情報が描画されている表示媒体が有するＲＦ−ＩＤタグの識別情報に関連する管理情報を廃棄もしくは変更することを特徴とする実施態様１３に記載のシステム。
【０１４４】
この実施態様１８によれば、権限のない利用者による管理情報の廃棄、変更等を防止できる。
【０１４５】
【発明の効果】
以上のように本発明によれば、高度なセキュリティの下でコンテンツ管理を行うことができる。
【図面の簡単な説明】
【図１】本発明の第１の実施の形態に係るＲＦ−ＩＤタグ付き表示媒体を用いたコンテンツを管理するシステムの構成を示すブロック図である。
【図２】本発明の第１の実施の形態に係るＲＦ−ＩＤタグ付き表示媒体を用いたコンテンツを管理するシステムにおける印刷プロセスのフローチャートである。
【図３】本発明の第２の実施の形態に係るＲＦ−ＩＤタグ付き表示媒体を用いたコンテンツを管理するシステムの構成を示すブロック図である。
【図４】本発明の第２の実施の形態に係るＲＦ−ＩＤタグ付き表示媒体を用いたコンテンツを管理するシステムにおける印刷プロセスのフローチャートである。
【図５】本発明の第３の実施の形態に係るＲＦ−ＩＤタグ付き表示媒体を用いたコンテンツを管理するシステムの構成を示すブロック図である。
【図６】本発明の第３の実施の形態に係るＲＦ−ＩＤタグ付き表示媒体を用いたコンテンツを管理するシステムにおける画像読取プロセスのフローチャートである。
【図７】本発明の第４の実施の形態に係るＲＦ−ＩＤタグ付き表示媒体を用いたコンテンツを管理するシステムの構成を示すブロック図である。
【図８】本発明の第４の実施の形態に係るＲＦ−ＩＤタグ付き表示媒体を用いたコンテンツを管理するシステムにおける表示媒体廃棄プロセスのフローチャートである。
【図９】本発明の第６の実施の形態に係るＲＦ−ＩＤタグ付き表示媒体を用いたコンテンツを管理するシステムの構成を示すブロック図である。
【符号の説明】
１００      ＲＦ−ＩＤタグ付き表示媒体
１００ａ    ＲＦ−ＩＤタグ付き表示媒体
１００ｂ    ＲＦ−ＩＤタグ付き表示媒体
１０１      ネットワーク
１０２      ＲＦ−ＩＤリーダー内蔵印刷装置（情報処理装置）
１０２ａ    ＲＦ−ＩＤリーダー内蔵印刷装置（情報処理装置）
１０３      データ管理装置
１０４      ＰＣ（パーソナル・コンピュータ）
１０５      個人認証装置
１０６      ＩＣカード
１０７      ネットワーク・インターフェース（Ｉ／Ｆ）
１０８      制御部
１０９      ＲＦ−ＩＤ読取部
１０９ａ    ＲＦ−ＩＤ読取部
１０９ｂ    ＲＦ−ＩＤ読取部
１１０      印刷部
１１１      メモリ部
１１２      操作部
１１３      ネットワーク・インターフェース（Ｉ／Ｆ）
１１４      データ保持部
１１５      データ管理部
３０１      個人認証部
５００      ＲＦ−ＩＤリーダー内蔵光学式画像読取装置（情報処理装置）
５０１      ネットワーク・インターフェース（Ｉ／Ｆ）
５０２      制御部
５０３      ＲＦ−ＩＤ読取部
５０４      画像読取部
５０５      メモリ部
５０６      操作部
５０７      個人認証部
７００      ＲＦ−ＩＤリーダー内蔵表示媒体廃棄装置（情報処理装置）
７０１      ネットワーク・インターフェース（Ｉ／Ｆ）
７０２      制御部
７０３      ＲＦ−ＩＤ読取部
７０４      廃棄部
７０５      メモリ部
７０６      操作部
７０７      個人認証部
【図１】
2004302616.tif 000003
【図２】
2004302616.tif 000004
【図３】
2004302616.tif 000005
【図４】
2004302616.tif 000006
【図５】
2004302616.tif 000007
【図６】
2004302616.tif 000008
【図７】
2004302616.tif 000009
【図８】
2004302616.tif 000010
【図９】
2004302616.tif 000011